(57)【要約】【課題】異なる連接方法に対応可能であって、繰り返しの着脱によって、嵌合力が低下し難い出没式用の筆記具用レフィルを提供する。【解決手段】出没式筆記具の筆記具用レフィルであって、前記筆記具用レフィルが、金属製パイプの前端部にペン先を、直接、またはペン先ホルダーを介して装着し、前記インキ収容筒の後端部に、樹脂製の材料で構成した尾栓を装着するとともに、前記尾栓が、前記金属製パイプの後端部に装着する前端部と、前記操作体または摺動体を連接する後端部とを設け、前記尾栓の後端部は、後端を開口した開口部と、該開口部の前方に、前記開口部の肉厚よりも厚い肉厚の中肉部と、前記中肉部の前方に、当該中肉部の肉厚よりも厚い肉厚の連接部とを有し、前記操作体または摺動体は、前記連接部に嵌合してあることを特徴とする。【選択図】図３
2015009414.tif 000002
【特許請求の範囲】
【請求項１】
軸筒内に、弾発体により軸筒後端方向に付勢して配設し、操作体に直接、または前記操作体の操作に連動して摺動する摺動体に着脱自在に連接し、前記操作体を操作することにより、ペン先を軸筒の前端開口部から突出可能な出没式筆記具の筆記具用レフィルであって、前記筆記具用レフィルが、金属製パイプの前端部にペン先を、直接、またはペン先ホルダーを介して装着し、前記インキ収容筒の後端部に、樹脂製の材料で構成した尾栓を装着するとともに、前記尾栓が、前記金属製パイプの後端部に装着する前端部と、前記操作体または摺動体を連接する後端部とを設け、前記尾栓の後端部は、後端を開口した開口部と、該開口部の前方に、前記開口部の肉厚よりも厚い肉厚の中肉部と、前記中肉部の前方に、当該中肉部の肉厚よりも厚い肉厚の連接部とを有し、前記操作体または摺動体は、前記連接部に嵌合してあることを特徴とする出没式筆記具の筆記具用レフィル。
【請求項２】
前記尾栓の後端部が、前記尾栓の後端部の内壁に、内方に向かって突出する突部によって設けた前記連接部と、前記突部の後方に、前記突部の内径よりも大きい内径の前記中肉部と、前記中肉部の後方に、当該中肉部の内径よりも大きい内径の前記開口部とを設けてあることを特徴とする請求項１に記載の出没式筆記具の筆記具用レフィル。
【請求項３】
前記尾栓の後端部が、前記開口部と、該開口部の前方に、前記開口部の外径の大きい中肉部と、前記中肉部の前方に、当該中肉部の外径の大きい前記連接部とを設けてあることを特徴とする請求項１または２に記載の出没式筆記具の筆記具用レフィル。
【請求項４】
前記尾栓の外壁、且つ前記突部と長手方向で同位置に、外方に向かって突出する凸部を設けたことを特徴とする請求項２に記載の出没式筆記具の筆記具用レフィル。
【発明の詳細な説明】
【技術分野】
【０００１】
本発明は、出没式筆記具の筆記具用レフィルに関する。
【背景技術】
【０００２】
従来から筆記具用レフィルのペン先を軸筒の前端開口部から突出可能な出没式筆記具はよく知られている。こうした出没式筆記具においては、例えば、特開２００２−２９３０８８号公報「複式筆記具」では、筆記具用レフィルの後端部に装着した尾栓を摺動コマ（摺動体）に着脱自在に連接した回転繰り出し式の多芯筆記具を、実開平４−１１１４８９号公報「シャープペンシルとボールペンの多芯筆記具」では、摺動体の連接部を筆記具用レフィルのインキ収容管とを着脱自在に連接したスライド式の多芯筆記具が開示されている。
【０００３】
前記した多芯筆記具は、複数の筆記具用レフィルを配設しているため、各筆記具用レフィルは、軸筒の軸心に対して偏心した位置に配設している。また、口先は先端開口部に向かって先細状となっている。そのため、筆記具用レフィルのペン先を軸筒の前端開口部より出没する際には、特に撓み難い金属製の材料からなるインキ収容筒を具備した筆記具用レフィルにおいては、特開２００８−２２１５１２号公報「複式筆記具」のように、筆記具用レフィルを軸筒の軸心に対し、揺動可能に配設する必要がある。
【先行技術文献】
【特許文献】
【０００４】
【特許文献１】特開２００２−２９３０８８号公報
【特許文献２】実開平４−１１１４８９号公報
【発明の開示】
【発明が解決しようとする課題】
【０００５】
しかし、特許文献２のように、インキ収容筒の後端部を直接、嵌合により連接するには、前記した多芯筆記具においては、インキ収容筒を金属材料とした場合は、筆記具用レフィルを軸筒の軸心に対し、揺動し難い問題があった。また、金属と樹脂の嵌合となるため、繰り返しの着脱によって、嵌合力が低下する恐れがあった。
【０００６】
ところで、特許文献１、２のような多芯筆記具では、筆記具用レフィルと操作体や摺動体との連接構造が異なっている。そのため、連接構造に合わせた筆記具用レフィルが必要であり、統一化が切望されている。
【０００７】
本発明は、前記従来の問題点を解決するものであって、異なる連接方法に対応可能であって、繰り返しの着脱によって、嵌合力が低下し難い出没式用の筆記具用レフィルを提供しようとするものである。
【課題を解決するための手段】
【０００８】
上記目的を達成するために、本発明は、軸筒内に、弾発体により軸筒後端方向に付勢して配設し、操作体に直接、または前記操作体の操作に連動して摺動する摺動体に着脱自在に連接し、前記操作体を操作することにより、ペン先を軸筒の前端開口部から突出可能な出没式筆記具の筆記具用レフィルであって、前記筆記具用レフィルが、金属製パイプの前端部にペン先を、直接、またはペン先ホルダーを介して装着し、前記インキ収容筒の後端部に、樹脂製の材料で構成した尾栓を装着するとともに、前記尾栓が、前記金属製パイプの後端部に装着する前端部と、前記操作体または摺動体を連接する後端部とを設け、前記尾栓の後端部は、後端を開口した開口部と、該開口部の前方に、前記開口部の肉厚よりも厚い肉厚の中肉部と、前記中肉部の前方に、当該中肉部の肉厚よりも厚い肉厚の連接部とを有し、前記操作体または摺動体は、前記連接部に嵌合してあることを特徴とする。
尚、本発明で、「前」とは、ペン先側を指し、「後」とは、その反対側を指す。
【０００９】
本願発明の第１の構成によれば、前記筆記具用レフィルが、金属製パイプの前端部にペン先を、直接、またはペン先ホルダーを介して装着し、前記インキ収容筒の後端部に、樹脂製の材料で構成した尾栓を装着するとともに、前記尾栓が、前記金属製パイプの後端部に装着する前端部と、前記操作体または摺動体を連接する後端部とを設けることで、高級感が得られ、遮光性かつガス透過を防止するため、金属製パイプ内に収容した部材の経時安定性が得られる。
【００１０】
また、前記尾栓の後端部は、後端を開口した開口部と、該開口部の前方に、前記開口部の肉厚よりも厚い肉厚の中肉部と、前記中肉部の前方に、当該中肉部の肉厚よりも厚い肉厚の連接部とを有し、前記操作体または摺動体は、前記連接部に嵌合することで、出没式筆記具における、尾栓の後端部の内壁又は外壁に、操作体または前記操作体の操作に連動して摺動する摺動体を容易に連接することができる。さらに、前記後端を開口した開口部と、該開口部の前方に、前記開口部の肉厚よりも厚い肉厚の中肉部を連接部の後方に設けることで、前記操作体または摺動体の連接部を尾栓の後端部内壁側に挿通し易く、また、薄肉部によって撓み易くなり、前記操作体または摺動体の連接部と尾栓の後端部外壁側に連接し易くなるとともに、中肉部によって強度低下を抑制することができる。さらにまた、前記中肉部の前方に、当該中肉部の肉厚よりも厚い肉厚の連接部を設け、該連接部に前記操作体または摺動体を連接することで、繰り返しの着脱による嵌合力の低下を抑制することができる。
【００１１】
第２に、前記連接部が、前記尾栓の後端部の内壁に、内方に向かって突出する突部であって、前記突部の後方に、前記突部の内径よりも大きい内径の前記中肉部と、前記中肉部の後方に、当該中肉部の内径よりも大きい内径の前記開口部とを設けてあることを特徴とする。
【００１２】
本願発明の第２の構成によれば、前記連接部が、前記尾栓の後端部の内壁に、内方に向かって突出する突部であって、前記突部の後方に、前記突部の内径よりも大きい内径の前記中肉部と、前記中肉部の後方に、当該中肉部の内径よりも大きい内径の前記開口部とを設けることで、前記操作体または摺動体が、尾栓の後端から開口部、中肉部、連接部へとスムーズに進入するため、尾栓の後端部の内壁に、操作体または摺動体を連接しやすくすることができる。
【００１３】
第３に、前記尾栓の後端部が、前記開口部と、該開口部の前方に、前記開口部の外径の大きい中肉部と、前記中肉部の前方に、当該中肉部の外径の大きい前記連接部とを設けてあることを特徴とする。
【００１４】
本願発明の第３の構成によれば、前記尾栓の後端部が、前記開口部と、該開口部の前方に、前記開口部の外径の大きい中肉部と、前記中肉部の前方に、当該中肉部の外径の大きい前記連接部とを設けることで、前記筆記具用レフィルの尾栓を操作体または摺動体内までスムーズに進入するため、尾栓の後端部の外壁に、操作体または摺動体を連接しやすくすることができる。
【００１５】
第４に、前記尾栓の外壁、且つ前記突部と長手方向で同位置に、外方に向かって突出する凸部を設けたことを特徴とする。
【００１６】
本願発明の第４の構成によれば、前記尾栓の外壁、且つ前記突部と長手方向で同位置に、外方に向かって突出する凸部を設けることで、前記内壁に設けた突部との組合せにより、より連接部の肉厚が厚くなり、嵌合力の低下を抑制し易くなるため好ましい。
【００１７】
尚、本発明における金属製パイプには、例えば、ステンレス鋼、アルミニウム、アルミニウム合金、銅、銅合金、チタン、チタン合金、ニッケル、ニッケル合金、鉄、鉄合金等の金属材料が挙げられ、収容した部材の経時安定性を考慮するとステンレス鋼が好ましい。また、本発明における尾栓、操作体、摺動体には、例えば、ポリプロピレン樹脂、ポリアセタール樹脂、ポリカーボネート樹脂、アクリルニトリルスチレン樹脂等の合成樹脂の材料が挙げられ、尾栓には、摺動性等を考慮するとポリアセタール樹脂が好ましい。
【発明の効果】
【００１８】
本発明は、異なる連接方法に対応可能であって、繰り返しの着脱によって、嵌合力が低下し難い出没式用の筆記具用レフィルを提供ことができた。
【図面の簡単な説明】
【００１９】
【図１】実施形態１の筆記具用レフィルを示す縦断面図である。
【図２】図１における一部省略したレフィル前端部の拡大図である。
【図３】図１における一部省略したレフィル後端部の拡大図である。
【図４】実施形態１の筆記具用レフィルを用いた多芯筆記具を示す縦断面図である。
【図５】図４における尾栓と摺動体との連接状態を示す説明図である。
【図６】他の形態における尾栓と摺動体との連接状態を示す説明図である。
【発明を実施するための最良の形態】
【００２０】
次に図面を参照しながら、本発明の熱変色性筆記具用レフィルの実施形態を説明するが、本発明は以下の実施形態に限定されるものではない。
【００２１】
本発明の第１実施の形態を図１〜図３に示す。
第１実施の形態の筆記具用レフィル１は、ペン先３と、該ペン先３の後端部３Ｂが前端部５Ａに圧入固着されたペン先ホルダー５と、該ペン先ホルダー５の後端部５Ｂが前端部２Ａに圧入固着される金属製パイプ２とからなる。また、金属製パイプ２の後端部２Ｂには、尾栓６の前端部６Ａが装着されている。
【００２２】
前記ペン先３は、ペン先前端部３Ａのボール抱持室に、回転可能にボール４が抱持されているボールペンチップからなり、ボール４の後方には、前記ボール４を常時、ペン先前端部の内壁に押圧する直棒部９Ａを有するコイルスプリング９を配設してある。
【００２３】
前記ペン先ホルダー５は、透明合成樹脂（ポリプロピレン樹脂）で形成され、ペン先ホルダー５の後端部５Ｂは、略同外径の筒状体となっていて、ペン先３と金属製パイプ２間において、ペン先ホルダー５を通じ、金属製パイプ２に収容した筆記具用インキ７を外部から視認可能としてある。
【００２４】
前記尾栓６は、不透明合成樹脂（ポリアセタール樹脂）で形成され、金属製パイプ２の後端部２Ｂ内に挿通する前端部６Ａと、前記金属製パイプ２の後方に位置する後端部６Ｂとを有している。
【００２５】
また、前記尾栓６の後端部６Ｂは、後端を開口した開口部６Ｃと、該開口部６Ｃの前方に、前記開口部６Ｃの肉厚よりも厚い肉厚の中肉部６Ｄと、該中肉部６Ｄの前方に、前記中肉部６Ｄの肉厚よりも厚い肉厚の連接部６Ｅと設けてある。具体的には、尾栓６の後端部６Ｂの内壁に設けた突部６Ｆによって連接部６Ｅを設け、連接部６Ｅの後方に前記突部の内径Ｓよりも大きい内径Ｒの中肉部６Ｄと、前記中肉部６Ｄの後方に、当該中肉部６Ｄの内径Ｒよりも大きい内径Ｑの開口部６Ｃとを設けてある。
【００２６】
また、前記尾栓６の後端部６Ｂの外壁側、且つ前記突部６Ｅと長手方向で同位置に凸部６Ｇを突設してある。前記尾栓６の後端部６Ｂの外径は、開口部６Ｃの外径を中肉部６Ｄの外径より小さく、且つ前記中肉部６Ｄの外径は、前記連接部６Ｅの外径より小さくしてある。
【００２７】
前記金属製パイプ２は、ステンレス鋼（ＳＵＳ３０４）からなる両端が開口された円筒体である。前記金属製パイプ２の前端部２Ａには、金属製パイプ２の内側に向かって突出する突部２Ｃを周設し、インキ漏れを抑制してある。また、金属製パイプ２の後端部２Ｂには、金属製パイプ２の内側に向かって突出する突起部２Ｄを周方向の異なる２箇所に設け、尾栓６を装着してある。
【００２８】
前記金属製パイプ２の内部、ペン先ホルダー５の内部、ペン先３内部には、黒色の熱変色性インキ７が収容される。また、前記インキ収容筒２内には、前記熱変色性の筆記具用インキ７の後端に配置され且つインキ消費に伴い前進する高粘度流体からなるインキ追従体８が収容される。
【００２９】
また、前記ペン先３後端と前記金属製パイプ２前端との間のペン先ホルダー５内部を外部より透視可能に構成し、前記ペン先ホルダー５を通してペン先ホルダー２５内部の熱変色性の筆記具用インキ７を外部より透視可能に構成としてある。
【００３０】
さらに筆記具用レフィル１について詳述すると、金属製パイプ２の前端部２Ａに、φ０．５ｍｍのボール４を回転自在に抱持したボールペンチップからなるペン先３を、ペン先ホルダー５を介して装着してある。また、インキ収容筒２内には、平均粒径が０．５μｍの可逆熱変色性のマイクロカプセル顔料を含有し、ＥＭ型回転粘度計における１ｒｐｍでのインキ粘度が１０２０ｍＰａ・ｓ（２５℃）、１００ｒｐｍでのインキ粘度が８４ｍＰａ・ｓ（２５℃）で、剪断減粘指数が０．４８の熱変色性の筆記具用インキ７と、このインキの後端に、インキ追従体８を直に収容してある。尚、インキ粘度は、ＥＭ型回転粘度計における１００ｒｐｍ、４０〜２００ｍＰａ・ｓ（２５℃）とすることが好ましい。
【００３１】
また、金属製パイプ２の後端部２Ｂに設けた突起部２Ｄの内径Ｐは、金属製パイプ２の内径Ｌの９２％であった。金属製パイプ２の突起部２Ｄの大きさは、特に限定されるものではないが、金属製パイプ２の内径Ｌと突起部２Ｄの内径Ｐとの差が大きいと、突起部形成時や装着時に尾栓が変形しやすく、筆記具用レフィル１の軸心と尾栓６の軸心がずれる恐れがあり、径差が小さいと、尾栓６の抜け力が小さくなる傾向となるので、突起部２Ｄの内径Ｐは、インキ収容筒２の内径Ｌの９０％〜９５％とすることが好ましい。また、尾栓６の後端部は、長手方向の長さが５ｍｍであった。
【００３２】
前記筆記具用レフィル１の製造方法は、予め製作してあったボールペンチップからなるペン先３の後端部３Ｂをペン先ホルダー５の前端部５Ａに圧入装着し、次に前記金属製パイプ２の前端部２Ａに、前記ペン先ホルダー５の後端部５Ｂを圧入装着する。
【００３３】
さらに金属製パイプ２内に熱変色性の筆記具用インキ７及びインキ追従体８を収容した後、金属製パイプ２の後端部２Ｂに尾栓６の前端部６Ａを挿通する。その後、前記金属製パイプ２の前端部に、外側から内側に向かって空気冷却しながら押圧加工を施し、前記金属製パイプ２の内側に向かって突出する突部２Ｃを周設して、ペン先ホルダー５の抜け力を高めるとともに、金属製パイプ２とペン先ホルダー５間からのインキ漏れを抑制している。また、前記金属製パイプ２の後端部も外側から内側に向かって押圧加工を施し、前記金属製パイプ２の内側に向かって突出する突起部２Ｄを周方向の異なる２箇所に設け、尾栓６を装着してある。最後に筆記具用レフィル１を遠心脱泡の処理を行い、熱変色性筆記具用レフィルからなる筆記具用レフィル１を得ている。
【００３４】
図４に示す出没式筆記具２１は、前軸２２と後軸２３とを連結筒２４を介し、前軸２２と、後軸２３（操作体）とを相対的に回転可能に連設した軸筒本体の内部に、前記した筆記具用レフィル１と、該筆記具用レフィル１とインキ色の異なる他の筆記具用レフィル１０１とを保持する複数の摺動溝（図示せず）を設けた摺動ケース２６と、後軸２３を前軸２２に対して回動することで摺動ケース２６の外周面上を回転可能な繰り出しカム２５とを有し、前記摺動溝に、カム係止突起を有する樹脂製の摺動体２７が連接した筆記具用レフィル１を、コイルスプリングからなる弾性体３０より前軸２２の前端開口部２２Ａと反対側の後方へ付勢して配し、他の摺動溝に、カム係止突起を有する摺動体２８が連接した他の筆記具用レフィル１０１を、コイルスプリングからなる弾性体３１により前軸２２の前端開口部２２Ａと反対側の後方へ付勢して配している、従来から知られている回転繰り出し式の多芯筆記具であって、前軸２２を連結筒２４から取り外すことで、筆記具用レフィル１，１０１を交換することができる。
【００３５】
前記繰り出しカム２５は、カム斜面の前端に凹溝２５Ａを形成してあり、摺動体２７のカム係止突起２７Ａをカム斜面に当接して、繰り出しカム２５の回転に伴い、カム係止突起２７Ａがカム斜面に沿って移動し、前記凹溝２５Ａに係止することで、摺動体２７を装着した筆記具用レフィル１のペン先２３または摺動体８を装着した他の筆記具用レフィル１０１のペン先１０３を、前筒２の前端開口部２Ａから出没できるようにしてある。
【００３６】
前記摺動体２８は、繰り出しカム２５の凹溝２５Ａに係止するカム係止突起２８Ａと、前端部に連接部２８Ｂを備えている。前記連接部２８Ｂは、筆記具用レフィル１の尾栓６内に挿通する軸部２８Ｃと、当該軸部２８Ｃの前端部に設けた膨出部２８Ｄとを有している。前記膨出部２８Ｄは、球状体の前端部及び対峙する側面を切り落とした形状としてある。
【００３７】
前記尾栓６の開口部６Ｃの内径Ｑは、膨出部２７Ｂの外接円径Ｔの１１０％であり、中肉部６Ｄの内径Ｒは、膨出部２７Ｂの外接円径Ｔの１０３％であった。また、突部６Ｆの内径Ｓは、膨出部２７Ｂの外接円径Ｔの９５％であった。また、金属製パイプ２の後端部２Ｂに設けた突起部２Ｄの内径Ｐは、金属製パイプ２の内径Ｌの９２％であった。
【００３８】
また、後軸２３の後端部には保持部材３１を、繰り出しカム２６の後端部内に設けた雌ねじ部と、保持部材３１の側面に設けた雄ねじ部とを、保持部材３１の後端が、後軸２３の後方に位置するように螺着してある。また、保持部材３１にはポリエステル系エラストマーからなるゴム状弾性体の摩擦体３３を、保持部材３１の内方突起部に摩擦体３３の装着部に設けた外方突起部を乗り越し嵌合することによって装着してある。この摩擦体３３を筆記面に圧接し、擦ることで発生する熱によって、熱変色性インキの筆跡を熱消色又は熱変色させることができる。また、摩擦体３３の外側には、頭冠３２を保持部材３１の雄ねじ部に頭冠３２内面の雌ねじ部とを着脱自在に螺着してある。また、後軸３３の後端部には、後軸３３と保持部材３１間に固定したクリップ３４を装着してある。
【００３９】
前記筆記具用レフィル１は、図５に示すように、尾栓６の後端部６Ｂに設けた連接部６Ｅ（内壁側の突部６Ｆ）を、前記摺動体２７の連接部２７Ａに設けた膨出部２７Ｂが乗り越す、乗り越し嵌合によって、着脱自在に連接し、前記摺動体２７と筆記具用レフィル１を連動して摺動するように配してある。
【００４０】
具体的には、組立時及びレフィル交換時等、摺動体２７と筆記具用レフィル１との連接するには、先ず、筆記具用レフィル１を摺動体２７側に押し込むと、摺動体２７の膨出部２７Ｂが、筆記具用レフィル１の尾栓６に設けた開口部６Ｃ内に進入し、前記膨出部２７Ｂは、開口部６Ｃの前方に設けた中肉部６Ｄを通り、当該中肉部６Ｄの前方に設けた連接部６Ｅ（突部６Ｆ）に達する。さらに筆記具用レフィル１を押し込むと、前記膨出部２７Ｂが、前記尾栓６の突部６Ｆを乗り越える。また、筆記具用レフィル１は、摺動体２７の段部２７Ｄ及び尾栓６の後端壁によって、その後の進入を制限され、摺動体２７と尾栓６とが連接される。尚、前記膨出部２７Ｂは尾栓６に対し揺動可能とし、摺動体２７の突片２７Ｃによって、過剰な傾きを抑制してある。
【００４１】
図６に示す他の実施形態は、前記筆記具用レフィル１が、尾栓６の後端部６Ｂに設けた連接部６Ｅ（外壁側の凸部６Ｇ）を、摺動体４０の周方向の異なる２箇所に設けた乗り越し突部４０Ｄが乗り越すことによって、着脱自在に連接し、前記摺動体４０と筆記具用レフィル１を連動して摺動するように配してある。
【００４２】
具体的には、組立時及びレフィル交換時等、摺動体４０と筆記具用レフィル１との連接するには、先ず、筆記具用レフィル１を摺動体４０側に押し込むと、尾栓６の後端部６Ｂが、摺動体４０に設けた、尾栓６の後端部６Ｂの開口部６Ｃ、中肉部６Ｄ、連接部６Ｅの何れの外径よりも大きい内径の開口導入部４０Ｂ内に進入し、前記尾栓６の後端部６Ｂは、開口導入部４０Ｂの後方に設けたガイド部４０Ｃを通り、当該ガイド部４０Ｃの後方に設けた乗り越し突部４０Ｄに達する。さらに筆記具用レフィル１を押し込むと、前記尾栓６の連接部６Ｅ（外壁側の凸部６Ｇ）が、前記摺動体４０の乗り越し突部４０Ｄを乗り越える。また、筆記具用レフィル１は、摺動体４０の段部４０Ｅ及び尾栓６の後端壁によって、その後の進入を制限され、摺動体４０と尾栓６とが連接される。
【００４３】
本実施形態では、便宜上、筆記具用レフィルと摺動体との連接方法として、乗り越し嵌合を例示しているが、凹凸嵌合や圧入嵌合等、特に限定されるものでない。しかし、圧入嵌合は、常時、圧入力が加わった状態であり、経時によって、尾栓や操作体、摺動体が膨張又は縮小し、嵌合力が低下する恐れがあるため、凹凸嵌合及び乗り越し嵌合とすることが好ましい。また、摺動体は、操作体の操作に連動して摺動する部材であれば、特に限定されるものではなく、回転カムや押圧体であってもよいし、操作体に直接、連接する構造であってもよい。
【００４４】
また、尾栓の後端部は、開口部、中肉部、連接部を設けるため、尾栓の後端部の長手方向の長さは、３ｍｍ以上とすることが好ましく、より好ましくは５ｍｍ以上である。また、開口部、中肉部、連接部を連続的に設けてもよいし、各部を繋ぐ繋ぎ部を介して設けてあってもよい。前記した開口部、中肉部、連接部は、長手方向で０．３ｍｍ未満では、その効果が小さいため、各部の長さを０．３ｍｍ以上とすることが好ましい。さらに、前記した開口部、中肉部、連接部を設けてあれば、尾栓の内壁側又は外壁側を略ストレート形状としてあってもよいが、尾栓の内径及び外径によって肉厚を変更することが好ましい。尚、前記肉厚は、各部における肉厚の平均値を、開口部の肉厚、中肉部の肉厚、連接部の肉厚とするものである。
【００４５】
また、金属製パイプと尾栓の装着構造は、圧入装着、接着、螺着など、特に限定されるものではないが、実施形態のように、金属製パイプの後端部、且つ前記尾栓の前端部に対応した位置に、内側に向かって突出し、内径が前記尾栓の前端部の外径よりも小さい突起部を設けることで、尾栓の装着性及ぶ尾栓の抜け力を高めることができるので好ましい。尚、前記突起部は、周状に設けることが好ましいが、周方向の異なる複数箇所に設ける構成であってもよく、尾栓の抜け力は、５ｋｇ以上とすることが、安全性の観点から最も好ましい。
【００４６】
また、本実施形態では、便宜上、ペン先としてボールペンチップを用いたボールペンレフィルを例示しているが、筆記具用レフィルには、例えば、マーキングペン、シャープペンシル等が挙げられ、ペン先も適宜選択して用いることができる。
【００４７】
また、本実施形態では、便宜上、回転操作により、ペン先を軸筒前端開口部から出没させる機構を例示しているが、ノック式、スライド式等、出没式筆記具であれば、特に限定されるものではない。また、軸筒内に色の異なる２本の熱変色性筆記具用レフィルからなる筆記具用レフィルを収容した多芯筆記具を例示しているが、油性ボールペンレフィルや水性ゲルインキボールペンレフィル、シャープペンシルなど、異なる筆記具用レフィルを組合せて用いることもできる。また、筆記具用レフィルを１本の単芯式の出没式筆記具や筆記具用レフィルを３本以上収納した多芯筆記具とすることもできる。
【００４８】
また、金属製パイプに収容する部材は、筆記具用インキに限るものではなく、修正液や鉛芯などであってもよい。さらに筆記具用インキも、熱変色性の筆記具用インキに限定されるものではなく、染料やカーボンブラック等の顔料、酸化チタンやアルミニウム等の金属粉顔料を着色剤として用いた水性ゲルインキ等、適宜選択して用いることができる。
【００４９】
但し、熱変色性インキを用いる場合には、可逆熱変色性インキとすることが好ましい。前記可逆熱変色性インキは、発色状態から加熱により消色する加熱消色型、発色状態または消色状態を互変的に特定温度域で記憶保持する色彩記憶保持型、または、消色状態から加熱により発色し、発色状態からの冷却により消色状態に復する加熱発色型等、種々のタイプを単独または併用して構成することができる。また、前記可逆熱変色性インキに含有される色材は、従来より公知の（イ）電子供与性呈色性有機化合物、（ロ）電子受容性化合物、及び（ハ）前記両者の呈色反応の生起温度を決める反応媒体、の必須三成分を少なくとも含む可逆熱変色性組成物をマイクロカプセル中に内包させた可逆熱変色性顔料が好適に用いられる。
【００５０】
また、前記した摩擦体には、弾性感に富み、摩擦時に適度な摩擦を生じて摩擦熱を発生させることのできるゴム、エラストマー等のゴム状弾性体が好適である。具体的には、弾性を有する合成樹脂（ゴム、エラストマー）が挙げられ、例えば、シリコーン樹脂、ＳＢＳ樹脂（スチレン−ブタジエン−スチレン共重合体）、ＳＥＢＳ樹脂（スチレン−エチレン−ブチレン−スチレン共重合体）、フッ素系樹脂、クロロプレン樹脂、ニトリル樹脂、ポリエステル系樹脂、オレフィン系樹脂、エチレンプロピレンジエンゴム（ＥＰＤＭ）等が挙げられる。また、摩擦体は、後軸と一体に形成又は別部材にて装着してあってもよい。尚、消しゴムを使用して筆跡を摩擦することもできるが、摩擦時に消しカスが発生するため、好ましくは前述のような摩擦体が用いられ、前記摩擦体の材質としては、シリコーン樹脂やＳＥＢＳ樹脂（スチレンエチレンブタジエンスチレンブロック共重合体）が好適に用いられる。
【産業上の利用可能性】
【００５１】
本発明の筆記具用レフィルは、回転繰り出し、サイドスライド式、サイドノック式や回転カム式等、出没式筆記具の筆記具用レフィルとして広く実施可能である。
【符号の説明】
【００５２】
１、１０１  筆記具用レフィル
２、１０２  インキ収容筒
２Ａ、１０２Ａ  前端部
２Ｂ、１０２Ｂ  後端部
２Ｃ、１０２Ｃ  突部
２Ｄ、１０２Ｄ  突起部
３、１０３  ペン先
４  ボール
５、１０５  ペン先ホルダー
６、１０６  尾栓
６Ａ  前端部
６Ｂ  後端部
６Ｃ  開口部
６Ｄ  中肉部
６Ｅ  連接部
６Ｆ  突部
６Ｇ  凸部
７  熱変色性インキ
８  インキ追従体
９  コイルスプリング
２１  出没式筆記具
２２  前軸
２２Ａ  前端開口部
２３  後軸
２４  連結筒
２５  繰り出しカム
２６  摺動ケース
２７、２８、  摺動体
２７Ａ、２８Ａ  カム係止突起
２７Ｂ、２８Ｂ  連接部
２７Ｃ、２８Ｃ  膨出部
２９、３０  弾性体
３１  保持部材
３２  頭冠
３３  摩擦体
４０  摺動体
４０Ａ  カム係止突起
４０Ｂ  開口導入部
４０Ｃ  ガイド部
４０Ｄ  乗り越し突部
４０Ｅ  段部
【図１】
2015009414.tif 000003
【図２】
2015009414.tif 000004
【図３】
2015009414.tif 000005
【図４】
2015009414.tif 000006
【図５】
2015009414.tif 000007
【図６】
2015009414.tif 000008